(57)【要約】      （修正有）【課題】水耕栽培および養液栽培に用いられる養液を保持する養液保持体に関するものであって、養液保持体の間の養液の移動を効率的に実施し、低コストおよび低い施設費用を可能としたサイホンを有する養液保持体を提供する。【解決手段】水耕栽培もしくは養液栽培における養液を保持するための水槽もしくは栽培槽である養液保持体１０２であって、該養液保持体１０２の底部を貫通して輸液管を形成し、該輸液管の養液保持体内１０２に位置する端部をＵ字形に形成してサイホン１０１とした養液保持体。【選択図】図１
0003178645.tif 000002
【実用新案登録請求の範囲】
【請求項１】
水耕栽培もしくは養液栽培における養液を保持する養液保持体であって，その一部にサイホンを有する養液保持体．
【考案の詳細な説明】
【技術分野】
【０００１】  本考案は、水耕栽培もしくは養液栽培に用いられる養液を保持する養液保持体に関するものであって，上下に立体的に配置された複数の養液保持体の間を，サイホンを用いて養液を移動させることを特徴とする，サイホンを有する養液保持体に関するものである．
【背景技術】
【０００２】  水耕栽培もしくは養液栽培は，代表的な施設栽培であって，ハウス施設栽培や植物工場などの基本的な技術として活用されている．これらの水耕栽培もしくは養液栽培設備では，植物の栽培に必要な養分を，養液として与えることになる．一般には，養液保持体は該養液を蓄えて植物を生育させるために，該養液を流すための流路として形成される．もしくは，ある面積をもった養液貯留体として形成される事例が多い．これらの養液を蓄えた，もしくは養液が流れる構成の養液保持体の上部に栽培すべき植物を保持し，該植物を育てるのである．【０００３】  水耕栽培もしくは養液栽培では，植物に光を照射して育成する．この光として，太陽光を用いるのであれば，できるだけ広い面積を確保し，できるだけ太陽光を活用する事が適切である．しかしながら，このような広い面積を確保し，養液を保持する等の施設を建設することは，施設建設の投資として莫大になる可能性がある．【０００４】  水耕栽培もしくは養液栽培において，植物を栽培するための養液保持体を立体的に構築することによって，単位面積当たりの栽培量を劇的に増大させることができる．この場合では，植物の育成に必要な光は，人工的に発生させ，植物の生成に活用されることが求められる．【０００５】  水耕栽培もしくは養液栽培において，養液保持体を立体的に構築した場合では，養液の流れる経路，もしくは貯留体について三次元的な立体的な配置として構成される．このような養液保持体では，その内部に貯留もしくは流れる養液を，ポンプ等を使って立体的に構築された養液保持体の間を相互に移送することが必須となる．
【考案の開示】
【考案が解決しようとする課題】
【０００６】  立体的に構成された水耕栽培もしくは養液栽培施設では，植物の生育に必要な光を蛍光灯のような発光装置に依存することになる．特に蛍光灯では，技術的熟成度，工業生産による安定性，供給の安定性など，水耕栽培用の光源として優れた特性を持っている．このため，蛍光灯を活用した立体構成された水耕栽培施設では，蛍光灯の長手方向に沿って栽培植物を並べる構成とすることが効率的である．【０００７】  既述の蛍光灯以外の種類の光源を用いた水耕栽培もしくは養液栽培施設では，特に栽培植物を並べる方向に最適なものは無いと考えられるが，蛍光灯を用いる水耕栽培施設もしくは養液栽培施設を含めて，立体的に構成されることが好ましい．これは，単位面積当たりの栽培量を最大にするために，水耕栽培施設もしくは養液栽培施設を立体的に設置するのである．【０００８】  該水耕栽培もしくは養液栽培施設では，立体的に並べられた養液保持体の相互間において，養液を移動させることが求められる．【０００９】  該水耕栽培もしくは養液栽培施設では，立体的に設置された養液保持体の間において，ポンプ等の施設を用いて養液を移動させることが行われる．または，養液保持体の相互を，何らかの流路を形成して養液を移動させるのである．【００１０】  ポンプ等を用いて養液を移動させる水耕栽培もしくは養液栽培施設では，そのポンプを運用するためには，電源が必須である．また，ポンプの運用を制御するための制御システムや管理システムが必須である．このため，運用に係る電気等のエネルギー，および制御システムなどのコストなど，運用における費用が嵩むことになる．これらの費用は，野菜栽培施設で生産された野菜のコストに反映されることになる．また，ポンプシステムや管理システムなどの故障などのリスクも抱え込むことになる．
【課題を解決するための手段】
【００１１】  本考案は，以上の課題を解決するために鋭意検討を行って考案されたものであって，上記の課題を解決するものである．課題を解決するために，上下の位置に立体的に配置し，構成された複数の養液保持体について，該養液保持体の養液の移動を，サイホンを用いて行うことを特徴とする．【００１２】  該立体的に配置された複数の養液保持体について，最も高い位置の養液保持体に対してポンプなどを用いて養液を送付する．この最上段の養液保持体では，ポンプで送付された養液の水位が上昇することになる．そして，養液の量により養液保持体の養液水位が徐々に上昇する．養液の水位は徐々に上昇した結果，該最上段の養液保持体に設置されたサイホンが作動する水位に達する．そして，サイホンの機能によって，該最上段に設置された養液保持体から，１段下の養液保持体に養液が移送される．【００１３】  該最上段の養液保持体から，最上段の養液保持体に設置されたサイホンによって１段下の養液保持体に養液が移送されたことにより，該１段下の養液保持体の養液水位が徐々に上昇する．この養液の移送により，１段下の養液保持体における養液水位が上昇し，１段下の養液保持体に設置されたサイホンの動作開始水位に達する結果，１段下の養液保持体に設置されたサイホンが作動する．その結果，１段下の養液保持体から，２段下の養液保持体に養液が移送される．【００１４】  以上，最上段の養液保持体から１段下の養液保持体に対してサイホンを活用して養液が移送されることになる．また，１段下の養液保持体から，２段下の養液保持体に対してサイホンを活用して養液が移送されることになる．以下，順次上段の養液保持体から，下部に設置された養液保持体について養液が移送される．【００１５】  このようなサイホンを用いて養液を移送する機能では，ポンプ等のように電源等を必要としない．またポンプ等を管理するための管理システムや，動作を制御する制御システムなどを必要としない．すなわち，電源や付加的なシステムを必要としないことにより，安価な運用コストを実現するものであり，かつ，制御システムを必要としないことから安価な設備を実現するものである．本サイホンを活用した養液移送システムは，該課題を解決するものである．【００１６】  請求項１に記載されている考案は，水耕栽培もしくは養液栽培の養液を保持する養液保持体であって，その一部にサイホンを有する養液保持体であり，該課題を解決するものである．
【考案の効果】
【００１７】  本考案により実施された，水耕栽培もしくは養液栽培の養液を保持する養液保持体であって，その一部にサイホンを有する養液保持体であることを特徴とするものであり，該課題を解決するものである．本考案による，サイホンを有する養液保持体では，高い位置に設置された養液保持体に貯留された養液を，サイホンを用いてより低い位置の養液保持体に移送するものである．【００１８】  本考案により形成されたサイホンを有する養液保持体では，立体的に配置された複数の養液保持体の間の養液の移送について，初期の養液の移送を行うための１台のポンプのみで可能とするものである．初期の養液の移送により，その水位の変化により最上段から次の段への養液の移送をサイホンにより実施する．さらに，次の段の養液の移送をサイホンにより実施する．このように，順次サイホンにより養液を移送する．【００１９】  本考案の効果として，水耕栽培もしくは養液栽培施設を構成するポンプや，ポンプを制御する設備などの資材の量を削減することができ，その結果として，施設の製造費用の大幅な削減，低下が可能となる．また，ポンプの動作に必要である電力使用量の削減が可能となり，水耕栽培もしくは養液栽培で生産される野菜の製造コスト低減の効果を発揮する．【００２０】  本考案によるサイホンを有する養液保持体によって，養液保持体の貯留された養液の水位を定期的に変化させる制御を行うことが可能となる．本考案によるサイホンを有する養液保持体では，養液の水位を任意の周期や任意のレベルに制御することができる．このような水位の管理制御は，栽培する植物の根の環境を最適なものに維持することを可能とするものである．【００２１】  本考案によるサイホンを有する養液保持体では，サイホンの動作に伴う養液の移動に伴って，空気中の酸素を溶解させる結果を伴う．そして，養液の溶存酸素が高濃度に維持される結果，養液の腐敗等を防ぐ効果を発揮する．また，栽培する植物にとって，根が呼吸を行うことを可能とする効果を発揮する．
【考案を実施するための最良の形態】
【実施例１】
【００２２】  本考案の好適な実施の一例を図１に示す．図１はサイホン１０１を有する養液保持体１００の構成を示す説明図であって，本考案の好適な実施の一例である．本実施例１では，養液保持体１０２にサイホン１０１が設置されている．養液保持体１０２に貯留された養液１０３について，その水位がサイホン１０１の動作水位に達したならば，サイホン１０１が動作し，サイホン１０１によって養液１０３が移送されることになる．本実施例１では，ポリプロピレンにより形成されたサイホンを用いている．【００２３】  本考案の別の好適な実施の一例を図２に示す．図２はサイホン２０１を有する養液保持体２００の構成を示す説明図であって，本考案の好適な実施の一例である．本実施例２では，養液保持体２０２にサイホン２０１とオーバーフロー管２０４が設置されている．養液保持体２０２に貯留された養液２０３について，その水位がサイホン２０１の動作水位に達したならば，サイホン２０１が動作し，サイホン２０１によって養液２０３が移送されることになる．本実施例２では，サイホン２０１の容量以上に養液が移送されたような状況であるか，もしくはサイホン２０１の異常などにより養液の移送機能が失われたような状況などにおいて，養液２０３が養液保持体２０２から溢れることを防止するためにオーバーフロー管２０４が設置されているのである．本実施例２では，２５ｍｍΦの塩ビ管を用いてオーバーフロー管２０４を構築した．
【産業上の利用の可能性】
【００２４】  本考案は，水耕栽培もしくは養液栽培に用いられる養液を保持する養液保持体に関するものであって，複数の養液保持体の間の養液の移送を，サイホンを用いて行うことを特徴とする．本考案を活用することにより，水耕栽培もしくは養液栽培などの技術を活用した植物栽培施設や植物工場などの施設において，養液保持体を効率的に管理することが可能とするものである．本考案により，養液を管理するための資材などを効率的に活用することができ，かつ，設備コストを低減することを可能とするものであり，本考案は，きわめて広い水耕栽培および養液栽培等の産業分野において活用可能であり，産業的に広く利用されるものである．
【図面の簡単な説明】
【００２５】
【図１】本考案の一実施形態に係わるサイホンを有する養液保持体の構成の一例を示す説明図である．
【図２】本考案の異なる一実施形態であって，サイホンを有する養液保持体の構成の一例を示すものであり，オーバーフロー管を有する実施形態を説明する説明図である．
【符号の説明】
【００２６】１００  サイホンを有する養液保持体
１０１  サイホン
１０２  養液保持体
１０３  養液
２００  サイホンを有する養液保持体
２０１  サイホン
２０２  養液保持体
２０３  養液
２０４  オーバーフロー管
【図１】
0003178645.tif 000003
【図２】
0003178645.tif 000004
【手続補正書】
【提出日】平成24年7月6日(2012.7.6)
【手続補正１】
【補正対象書類名】実用新案登録請求の範囲
【補正対象項目名】全文
【補正方法】変更
【補正の内容】
【実用新案登録請求の範囲】
【請求項１】
水耕栽培もしくは養液栽培における養液を保持するための水槽もしくは栽培槽である養液保持体であって，該養液保持体の底部を貫通して輸液管を形成し，該輸液管の養液保持体内に位置する端部をＵ字形に形成してサイホンとした養液保持体．